(57)【要約】 【課題】    肩甲骨から腕のつけ根の後ろ側を立体的に仕上げることにより腕の動きを円滑にし、かつ、前傾姿勢での着用時における前面の襟ぐりのたわみを解消し、襟ぐりのたわみを解消した上で、襟ぐりを大きく開けることにより着脱の利便性を図ることが出来る上衣の提供。【解決手段】  上衣は前身頃と後身頃を備え、肩甲骨から腕のつけ根の後ろ側を立体的に仕上げるため、後身頃の横幅を拡大し、拡大した寸法に応じて後身頃の襟ぐり線と肩線に沿ってタックを形成し、かつ、前傾姿勢での着用時にできる襟ぐりのたわみを解消するため、前身頃の前中心線上の襟ぐり付近にタックを上向きに形成する。前身頃のタックは襟ぐりと身体の間に出来る空間を減らし襟ぐり線を身体にフィットさせるため、襟ぐりを大きく開けることが可能となり着脱の利便性が図れる。【選択図】図１
2014001464.tif 000002
【特許請求の範囲】
【請求項１】
前身頃と後身頃を備え、後身後の襟ぐり線と肩線に沿ってタックを形成することにより、肩甲骨から腕のつけ根の後ろ側を立体的に仕上げ、かつ、前身頃の前中心線上の襟ぐり付近にタックを３か所上向きに形成したことを特徴とする上衣。
【請求項２】
肩線に沿ってタックを２か所形成した請求項１記載の上衣。
【請求項３】
前身頃と後身頃を、肩線、脇線，および袖下線に沿って縫い合わせて構成した、請求項１記載の上衣。
【請求項４】
正常な体型の場合の寸法に比べ、横幅、襟ぐり線、および肩線の長さをそれぞれ延長し、延長した寸法の総和に対応してそれぞれのタックの長さの総和を設定したことを特徴とする請求項１記載の上衣。
【発明の詳細な説明】
【技術分野】
【０００１】
本発明は、背の丸い人（特に高齢者）に適した上衣に関するものである。
【背景技術】
【０００２】
従来、背の丸い人に対応した衣服としてはオーダーメイドによるものがあった。しかし、オーダーメイドの商品は個人個人に合わせて作られるため、製作に時間がかかり高価である。図７に示す「非特許文献１」３９ページに紹介されている上衣には次のような問題点が考えられる。
（ａ）セットインスリーブの袖であるため、腕の可動範囲が限られる高齢者には着用時に手が通しにくく、身体にきちんと合っていないと、手を動かすたびに袖つけの縫い目が肩に当たって着心地が悪い。セットインスリーブはデザイン性が高いが、袖が下向きについているため、手は前後左右上下のどの方向にも動かしにくいものである。
（ｂ）食事時、靴を履くとき、杖をつくとき、手すりを持つとき等、手を前後左右に動かすときはヨークの肩先部分がひきつれて動きにくい。
（ｃ）着用時間が長くなるにつれ、後ろの襟ぐりまわりに横じわが出来るため、首まわりに違和感が生じ着心地が一層悪くなる。
（ｄ）背の丸味をカバーするためのヨーク下のタックやギャザーの量が多いと体型や動きに対する対応性は増す半面、背中の丸味を強調してしまい、その上、ゆとりを必要以上につけると重みがかかって、後ろにひっぱられるような感じになる。
（ｅ）後身頃、袖つけ等が身体に合っていないと、前面の首回りに不要なゆとり生まれるため、後ろに引っ張られ首が締めつけられるような窮屈感がある。
（ｆ）前傾姿勢の状態での着用では、後身頃の着丈が十分でなく、裾が引き上がり見た目を整えることができない。
【０００３】
また、既製品では、背が丸い人に対して、背面に縦方向にゆとりをとったもの（「特許文献１」）はあるが、背面の横方向のゆとりについて配慮したものがないため、腕を前後左右に動かすときの肩甲骨から腕のつけ根の後ろ側に窮屈感があり、日常生活の動きに支障をきたすことから長時間着用すると着心地が悪い。
【０００４】
特に背が丸くなるような高齢者は、ボタンを留める等の手先の細かい作業が困難になっていくにもかかわらず、着脱を容易にするための対策として前開きのものが多い。また、着脱を容易にするために襟ぐりを大きく開けると、前傾姿勢になったときに前面の襟ぐりと身体の間に大きな空間が出来、だらしなく見えて不快である。
【先行技術文献】
【特許文献】
【０００５】
【特許文献１】特開２００５−１０５５０３号公報。
【非特許文献】
【０００６】
【非特許文献１】ユニバーサルファッションおしゃれで着やすい介護服  ブティック社
【発明の概要】
【発明が解決しようとする課題】
【０００７】
本発明は、肩甲骨から腕のつけ根の後ろ側を立体的に仕上げ、ゆとりを持たせることにより、背の丸い人（特に高齢者）の腕の前後左右の動きを円滑にするとともに、前傾姿勢になっても前面の襟ぐり線を身体にフィットさせることにより襟ぐりのたわみを解消することで着用時の快適さを保ち、かつ、前面の襟ぐりのたわみを解消した上で、襟ぐりを大きく開けることにより着脱の利便性を図る上衣を提供しようとするものである。
【課題を解決するための手段】
【０００８】
本発明は、前記課題を解決するためになされたもので、前身頃と後身頃を備え、後身頃の襟ぐり線と肩線に沿ってタックを形成することにより、肩甲骨から腕のつけ根の後ろ側を立体的に仕上げ、かつ、前身頃の前中心線上の襟ぐり付近にタックを上向きに形成した上衣である。
【発明の効果】
【０００９】
本発明によれば、肩甲骨から腕のつけ根の後ろ側を立体的に仕上げ、ゆとりを持たせることにより、背の丸い人（特に高齢者）の腕の前後左右の動きを円滑にすることができるとともに、前傾姿勢になっても前面の襟ぐり線を身体にフィットさせることができるため、襟ぐりのたわみを解消し着用時の快適さを保ち、その結果、前面にたわみが出来る恐れを解消した上で、襟ぐりを大きく開けることが可能になり、腕や手の動きの悪い高齢者でも容易に着脱ができる。
【発明を実施するための形態】
【００１０】
以下、本発明の具体的実施例を図面に基づいて詳細に説明する。
【００１１】
図１および図２は、本発明の上衣の一実施例を示す図であり、図１は上衣の前身頃を示す概略前面図であり、図２は後身頃を裁断した状態の右半分の概略背面図である。上衣は前身頃１と後身頃２が縫い合わされることにより形成される。前身頃１と後身頃２の縫い合わせは、左右の前身頃の肩線３と後身頃の肩線４とが縫い合わされるとともに、前身頃の脇線５と後身頃の脇線６、前身頃の袖下線７と後身頃の袖下線８が縫い合わされることにより形成される。
【００１２】
前身頃１には前中心線上の襟ぐり付近にタック１０〜１２を上向きに３本形成する。
【００１３】
後身頃２は、背中の上部を立体的に仕上げるために必要なタック分の生地を含めて裁断する。図２において、点線が同じ寸法の特別に背の丸くない体型の人用に裁断した場合の生地の輪郭を示す。すなわち３１は通常の袖先線、１６は通常の肩線、１５は通常の後中心線、２８が通常の裾線である。この実施例では、９が実際の袖先線、４が肩線、１４が後中心線、２４が裾線となり、幅拡大部１７、襟ぐり拡大部１８、肩線拡大部１９が出来、背面の横幅が広がる。上記の広げた寸法に相当する大きさのタックを以下のように分散して形成する。すなわち、襟ぐりにタック２０を、肩線にタック２１とタック２２をそれぞれ形成する。ここで幅拡大部１７の長さ＋襟ぐり拡大部１８の長さ＋肩線拡大部１９の長さ＝タック２０の長さ＋タック２１の長さ＋タック２２の長さとなる。従ってタック２０、２１、２２の形成後は通常の襟ぐり線２３、通常の肩線１６と同寸で仕上がり、袖先線も通常の袖先線３１の位置で仕上がる。
また、背面の長さの調節として、通常の裾線２８から実際の裾線２４まで下にずらせ後ろ下がり部２４−Ａを形成する。
【００１４】
前身頃１のタック１０〜１２はそれぞれ前中心線におけるタックの断面図である図３（ロ）、図３（ハ）、図３（ニ）に示すようにとる。タックをとることにより前傾姿勢になったときに出来る襟ぐりと身体の間の空間を減らし襟ぐり線２５を身体にフィットさせ身だしなみを整えることができるため、襟ぐりを大きく開けることが可能になり、着脱の利便性を図ることができ、かつ、前に重みが加わることにより上衣が後ろに引っ張られることがないため首回りが苦しくなく快適である。また、タック１０〜１２を形成することにより前身頃１の裾線２６の前中心線付近が引き上がるが、着用時には着用者が前屈みになるため目立って裾線を乱すものではない。
本実施例では図３に示す通り、前中心線上に襟ぐり線２５から約１．５ｃｍ下方に上下の長さ約１ｃｍのタック１０を、タック１０から約１ｃｍ下方に上下の長さ約１ｃｍのタック１１を、タック１１から約１ｃｍ下方に上下の長さ約０．７ｃｍのタック１２を上向きに3本形成する。
【００１５】
後身頃２のタック２０〜２２はそれぞれ出来上がり線におけるタックの断面図である図４（ロ）、図4（ハ）、図4（ニ）に示すようにとる。タック２０は主として背中が丸くなることにより後身頃の襟ぐり付近に出来やすいしわを消すためのものであり、タック２１、タック２２は主としてゆとりを持たせるためのものである。
本実施例ではタック２０は実際の襟ぐり線２３のほぼ中央にとり、肩線４上に襟ぐりから肩先に向かってタック２１、タック２２をとる。
タック２０〜２２をとることで立体的に仕立て上げ、肩甲骨から腕のつけ根の後ろ側に丸味のあるゆとりを持たせ、腕の前後左右の動きを円滑にし、快適な着用感を得ることができる。
本実施例では図４に示す通り、タック２０は後中心線１４から肩先に向かう長さ約１ｃｍのタックとし、タック２１は肩線４上に襟ぐりから肩先の方向に約３ｃｍのところに後中心線に向かう長さ約１ｃｍのタックとし、タック２２はタック２１からさらに肩先の方向に約３ｃｍのところに後中心線に向かう長さ約０．８ｃｍのタックとする。
【００１６】
後身頃２は、通常の裾線２８より概ね２ｃｍの長さの後ろ下がり部２４−Ａを設けることにより、前傾姿勢になったときの前身頃１と後身頃２との裾ラインのバランスを整える。
【００１７】
本実施例は下記の理由により身頃からの裁ちだしの袖を用いている。
（ａ）腕の可動範囲が限られた人（加齢により柔軟性がなくなった人）の着脱が容易になる。
例えば、後身頃の襟ぐりを持って後頭部を通るように前に引っ張ることにより簡単に脱ぐことができる。
（ｂ）特に大きい人、又は特に小さい人以外は着丈、袖丈の同一サイズでの対応が可能であるため、直しの必要がなく購入後すぐ着用できる。
（ｃ）幅広いサイズに対応できるため、量産することによる低価格での提供が可能となる。
（ｄ）着脱の容易さ、サイズの対応の幅をもたせたまま、袖の長さ、袖口をアレンジすることができる。前身頃の袖下線７と後身頃の袖下線８を縫い合わせないことで診療時等の場面で想定される袖の上げ下げの利便性を考慮したり、袖口を狭めることで防寒・安全面に配慮したりと、機能を持たせ、デザインの幅を広げオシャレを楽しむことができる。
（ｅ）着物のリフォームへの対応が可能である。
【００１８】
上衣は出来るだけ身体に負担がかからないよう、軽い布、柔らかい身体に馴染みやすい布で作ることが望ましい。本実施例ではより身体に馴染むようバイヤスに裁断している。
【００１９】
本発明の上衣は、前記実施例の構成に限らず、適宜変更可能である。
各部分の調整方法の例として次のようなものがある。
【００２０】
前記実施例では、袖の形状は身頃からの裁ちだしのものであるが、セットインスリーブにすることも可能である。また、前記実施例ではかぶりタイプのもので説明したが、前開きにしたり、後ろ開きにしたり、肩を開けたりと、襟ぐりから前後左右どの方向にでも開けることが可能であることにより、着脱の利便性を図りつつ、デザインを富ませることに対応できる。
適用可能な衣服の種類として、シャツ、ブラウス、プルオーバー、カットソー、ワンピース、コート、ジャケット、カーディガン、パジャマ、ベスト、ケープ等が挙げられる。
【００２１】
前身頃１のタック１０〜１２は、デザインに合わせてタックの倒す方向は上向きのままで、それぞれのタックの分量を加減して調節することができる。
前身頃１のタック１０〜１２は背の丸い人に限らず前屈みの作業が多い者の上衣にも応用が可能であるが、その場合は前下がりを考慮することが必要となる。
【００２２】
前身頃１のタック１０〜１２については図５（イ）、図５（ロ）に示すように形成した部分の前中心線上に飾り押え布１３をつける。飾り押え布１３は、タック１０〜１２の縫い目を補強するとともに、上衣の前後を容易に見分けるための目印となる。飾り押え布１３の材質、色、幅を変えること、飾り押え布１３の上にリボン、ボタン等をつけることで目印としての機能を際立たせることかでき、また、デザイン性も向上することができる。図５（イ）に示すようにリボン１３−Ａをつける場合は、図５（ハ）に示す通り、リボン１３−Ａは飾り押え布を兼ねたタイ２９とタック１０に挟み込んで縫いとめたタイ３０を結んで形成される。図５（ロ）は飾り押え布１３にボタン１３―Ｂを付けた例である。
【００２３】
後身頃２のタックについては、図４の例にとどまらず、タック２０については、図６（イ）に示すように、タック２１〜２２については図６（ロ）、図６（ハ）、図６（ニ）に示すように倒す方向を変えたり、タックを成形する位置や摘む量を調節することにより、布の材質、デザイン、個々への対応の幅を広げることができる。
【図面の簡単な説明】
【００２４】
【図１】本発明の上衣の一実施例を示す前身頃を示す概略前面図である。
【図２】本発明の上衣の一実施例を示す後身頃を裁断した状態の右半身の概略背面図である。
【図３】(イ)は図１の前面図のタックの詳細図であり、（ロ）（ハ）（ニ）はタックの向きを示す前中心線における断面図である。
【図４】（イ）は図２の背面図のタックの詳細図であり、（ロ）（ハ）（ニ）はタックの向きを示す出来上がり線における断面図である。
【図５】（イ）、(ロ)、(ハ)は前身頃のタックの装飾例を示す正面図である
【図６】（イ）、（ロ）（ハ）、（二）は後身頃のタックの他の実施例を示す断面図である
【図７】従来例を示す斜視図である。
【符号の説明】
【００２５】
１  前身頃
２  後身頃
３  前身頃  肩線
４  後身頃  肩線
５  前身頃  脇線
６  後身頃  脇線
７  前身頃  袖下線
８  後身頃  袖下線
９  後身頃  袖先線
１０  前身頃  タック
１１  前身頃  タック
１２  前身頃  タック
１３  飾り押え布
１３Ａ  リボン、１３Ｂ  ボタン
１４  後中心線
１５  通常の後中心線
１６  後身頃  通常の肩線
１７  幅拡大部
１８  襟ぐり拡大部
１９  肩線拡大部
２０  後身頃  タック
２１  後身頃  タック
２２  後身頃  タック
２３  後身頃  通常の襟ぐり線
２４  後身頃  裾線
２４Ａ  後身頃  後ろ下がり部
２５  前身頃  襟ぐり線
２６  前身頃  裾線
２８  後身頃  通常の裾線
２９  タイ
３０  タイ
３１  後身頃  通常の袖先線
【図１】
2014001464.tif 000003
【図２】
2014001464.tif 000004
【図３】
2014001464.tif 000005
【図４】
2014001464.tif 000006
【図５】
2014001464.tif 000007
【図６】
2014001464.tif 000008
【図７】
2014001464.tif 000009
【手続補正書】
【提出日】平成24年9月26日(2012.9.26)
【手続補正１】
【補正対象書類名】特許請求の範囲
【補正対象項目名】全文
【補正方法】変更
【補正の内容】
【特許請求の範囲】
【請求項１】
前身頃と後身頃を備え、後身頃の背面部の襟ぐり線と肩線に沿ってタックを形成することにより肩甲骨から腕のつけ根の後ろ側を立体的に仕上げ、かつ、前身頃の前中心線上の襟ぐり付近に、重なり部が水平方向に伸び、かつ前記重なり部が上向きに倒れるようにタックを形成したことを特徴とする上衣。
【請求項２】
肩線に沿ってタックを２か所形成した請求項１記載の上衣
【請求項３】
前身頃と後身頃を、肩線、脇線，および袖下線に沿って縫い合わせて構成した、請求項１記載の上衣
【請求項４】
前身頃にタックを平行に３か所形成した請求項1記載の上衣